(57)【要約】【課題】薬剤を最後まで使い切ることができるとともに、レイアウトの自由度が高い薬剤タンクを備える便器装置を提供すること。【解決手段】便鉢１１ａに供給する薬剤を収容するタンク本体４０、及びタンク本体４０の下部に設けられ薬剤が流出する流出口部４２を有する薬剤タンク４と、流出口部４２に接続され、薬剤を供給する薬剤供給路２３と、流出口部４２に接続されると開弁し、流出口部４２が薬剤供給路２３から取り外されると閉弁する開閉弁４３と、を備える便器装置１である。【選択図】図３
2020002652.tif 000002
【特許請求の範囲】
【請求項１】
便鉢に供給する薬剤を収容するタンク本体、及び前記タンク本体の下部に設けられ前記薬剤が流出する流出口部を有する薬剤タンクと、
前記流出口部に接続され、前記薬剤を供給する薬剤供給路と、
前記薬剤供給路が前記流出口部に接続されると開弁し、前記流出口部が前記薬剤供給路から取り外されると閉弁する開閉弁と、を備える便器装置。
【請求項２】
前記薬剤から泡を生成する泡生成部をさらに備え、
前記薬剤供給路は、前記泡生成部に接続される、請求項１に記載の便器装置。
【請求項３】
前記薬剤タンクは、前記タンク本体の上面部に設けられた補充口部を有する、請求項１又は２に記載の便器装置。
【請求項４】
前記タンク本体は、その上面部が平面であり、前記薬剤の補給口部が前記上面部を除く部分に配置される、請求項１又は２に記載の便器装置。
【請求項５】
前記タンク本体は、その底面部が前記流出口部側に向かって下り傾斜する傾斜面を含んで構成される、請求項１〜４のいずれかに１項に記載の便器装置。
【請求項６】
前記薬剤タンクは、前記流出口部に設けられ前記薬剤供給路へ流れる薬剤を濾過するストレーナを有する、請求項１〜５のいずれか１項に記載の便器装置。
【請求項７】
前記薬剤タンクを収容するタンク収容部をさらに備え、
前記薬剤タンクは、前記タンク本体が前記タンク収容部内に収容された状態で、前記タンク本体が上方に移動して前記開閉弁が閉弁するのを規制するロック機構を備える、請求項１〜６に記載の便器装置。
【請求項８】
前記薬剤タンクを覆うタンクカバーを有し、
前記タンク本体は、その上面部が前記便器装置の外観ラインに沿って形成される、請求項１〜７に記載の便器装置。
【請求項９】
便鉢に供給する薬剤を収容するタンク本体、及び前記タンク本体の下部に設けられ前記薬剤が流出する流出口部を有する薬剤タンクと、
前記薬剤タンクが配置されるベースプレートと、
前記流出口部が前記便鉢へ前記薬剤を供給する薬剤供給路に接続されると開弁し、前記流出口部が前記薬剤供給路から取り外されると閉弁する開閉弁と、を備える便器装置の機能部。
【発明の詳細な説明】
【技術分野】
【０００１】
本発明は、便器装置に関する。
【背景技術】
【０００２】
従来、便鉢に洗浄水及び洗剤等の薬剤を用いて生成した泡を吐出し、便器を泡で洗浄する便器装置が知られている。洗剤は、洗剤を収容するタンクに収容され、タンクには洗剤の補充口部及び流出口部がともに上部側に配置されている（例えば、特許文献１参照）。洗剤は、タンク内のポンプにより吸い上げられ、タンクの上部から薬剤供給路に供給される。
【先行技術文献】
【特許文献】
【０００３】
【特許文献１】特開２０１７−８７１６号公報
【発明の概要】
【発明が解決しようとする課題】
【０００４】
洗剤をタンクの上部側から流出させる場合、ポンプで吸い上げきらなかった洗剤を最後まで使い切ることが難しかった。また、ポンプを配置するため、ポンプを構成する部品を配置するスペースがタンクの内外に必要となり、タンク周りのスペースが狭まるとともに、タンクを配置するレイアウトも限定されがちだった。
【課題を解決するための手段】
【０００５】
本発明は、便鉢（例えば、後述の便鉢１１ａ）に供給する薬剤を収容するタンク本体（例えば、後述のタンク本体４０）、及び前記タンク本体の下部に設けられ前記薬剤が流出する流出口部（例えば、後述の流出口部４２）を有する薬剤タンク（例えば、後述のタンク４）と、前記流出口部に接続され、前記薬剤を供給する薬剤供給路（例えば、後述の第１ホース２３）と、前記薬剤供給路が前記流出口部に接続されると開弁し、前記流出口部が前記薬剤供給路から取り外されると閉弁する開閉弁（例えば、後述の開閉弁４３）と、を備える便器装置（例えば、後述の便器装置１）に関する。
【０００６】
前記薬剤から泡を生成する泡生成部（例えば、後述の泡生成部２２）を備え、前記薬剤供給路は、前記泡生成部に接続されることが好ましい。
【０００７】
前記薬剤タンクは、前記タンク本体の上面部（例えば、後述の上面部４０１）に設けられた補充口部（例えば、後述の補充口部４１）有することが好ましい。
【０００８】
前記タンク本体は、その上面部が平面であり、前記薬剤の補給口部が前記上面部を除く部分に配置されることが好ましい。
【０００９】
前記タンク本体は、その底面部（例えば、後述の底面部４０２）が前記流出口部側に向かって下り傾斜する傾斜面を含んで構成されることが好ましい。
【００１０】
前記薬剤タンクは、前記流出口部に設けられ前記薬剤供給路へ流れる薬剤を濾過するストレーナ（例えば、後述のストレーナ４６）を有することが好ましい。
【００１１】
前記薬剤タンクを収容するタンク収容部（例えば、後述のタンク収容部５）をさらに備え、前記薬剤タンクは、前記タンク本体が前記タンク収容部内に収容された状態で、前記タンク本体が上方に移動して前記開閉弁が閉弁するのを規制するロック機構を備えることが好ましい。
【００１２】
前記薬剤タンクを覆うタンクカバー（例えば、後述の後部上面カバー３０３）を有し、前記タンク本体は、その上面部が前記便器装置の外観ラインに沿って形成されることが好ましい。
【００１３】
本発明は、便鉢に供給する薬剤を収容するタンク本体、及び前記タンク本体の下部に設けられ前記薬剤が流出する流出口部を有する薬剤タンクと、前記薬剤タンクが配置されるベースプレート（例えば、後述のベースプレート３１）と、前記流出口部が前記便鉢へ前記薬剤を供給する薬剤供給路に接続されると開弁し、前記流出口部が前記薬剤供給路から取り外されると閉弁する開閉弁と、を備える便器装置の機能部（例えば、後述の機能部３０）に関する。
【発明の効果】
【００１４】
本発明によれば、薬剤を最後まで使い切ることができるとともに、レイアウトの自由度が高い薬剤タンクを備える便器装置を提供することができる。
【図面の簡単な説明】
【００１５】
【図１】本実施形態の便器装置の斜視図である。
【図２】本実施形態の洗剤供給装置を説明する模式図である。
【図３】本実施形態のタンク収容部及びタンクの斜視図である。
【図４】本実施形態のタンク収容部及びタンクの断面図である。
【図５】本実施形態のタンクの側面図である。
【図６】本実施形態のストレーナ―キャップの斜視図である。
【図７】本実施形態の把手部の部分拡大斜視図である。
【図８】本実施形態の把手部をロックする手順を示す図であり、（ａ）図は把手部４７がロックされる前の状態を示し、（ｂ）図はロック途中の状態を示し、（ｃ）図はロックされた状態を示す。
【図９】他の実施形態のタンク収容部及びタンクの模式図である。
【図１０】他の実施形態に係るストレーナ―キャップの平面図である。
【発明を実施するための形態】
【００１６】
以下、本実施形態の便器装置１の好ましい一実施形態について、図面を参照しながら説明する。図１は、本発明の一実施形態に係る便器装置１の斜視図である。
便器装置１は、外部の給水源から給水された便器を洗浄する洗浄水と、洗剤を混合して生成した泡とを吐出して洗浄する装置である。図１に示すように、便器装置１は、便器部１０と、機能部３０と、薬剤供給装置としての洗剤供給装置２０と、を備える。
【００１７】
なお、本明細書において、薬剤として洗剤を例に説明するが、薬剤とは洗剤の他に、香料、抗菌・除菌剤等の水以外の成分を含む液体を意味する。また、水を電気分解等して生成されるイオン水等、水に何らかの機能的な変化を加えた液体も「薬剤」の概念に含まれる。
【００１８】
また、以下の説明においては、便器装置１の便座（図示省略）に座った人から視た場合の前後の向きを前後方向とする。また、便器装置１の便座（図示省略）に座った人から視た場合の左右の向きを左右方向とする。また、鉛直方向に沿った上下の向きを上下方向とする。
【００１９】
便器部１０は、設置面に設置される便器本体１１と、洗浄タンク１２（図２参照）と、を有する。便器本体１１は、凹部が形成された便鉢１１ａを有する。洗浄タンク１２には、外部の給水源から延びる給水管１３（図２参照）を介して洗浄水が供給される。便器部１０は、洗浄タンク１２から便鉢１１ａに洗浄水を供給して洗浄する。
【００２０】
機能部３０は、便器部１０の上部後方に配置され、便器装置１の各種機能を実行するために必要な部品が配置される部分である。機能部３０の前部は、便座（図示せず）及び便蓋３０２を回動自在に軸支している。機能部３０は、各種部品を取付可能なベースプレート３１、ベースプレート３１を覆うタンクカバーとしての後部上面カバー３０３、後述するタンク４及びタンク収容部５を有する。
【００２１】
ベースプレート３１は、板状の支持部であり、ベースプレート３１の下側に、洗剤供給装置２０の一部を構成する薬剤タンクとしてのタンク４及びタンク収容部５が配置されている。
後部上面カバー３０３は、ベースプレート３１とともに後述するタンク４及びタンク収容部５を覆う。
【００２２】
図２は、洗剤供給装置２０を説明する模式図である。
図２に示すように、洗剤供給装置２０は、洗剤、水及び空気を混合して泡を生成し、吐出する装置である。洗剤供給装置２０は、洗剤を貯留するタンク４と、泡発生用給水路２１と、泡生成部２２と、薬剤供給路としての第１ホース２３と、泡ポンプ２４と、第２ホース２５と、空気供給管２６と、泡供給管２７とを有する。洗剤供給装置２０のうちタンク４は、機能部３０のタンク収容部５に収容されており、他の構成部材（泡発生用給水路２１、泡生成部２２と、第１ホース２３、泡ポンプ２４、第２ホース２５、空気供給管２６、泡供給管２７）は、便器部１０に配置されている。
【００２３】
泡発生用給水路２１は、外部の給水源から延びる給水管から分岐して、洗浄水を供給する給水管１３とは別に延びる配管により構成され、上水が流通する。
泡生成部２２は、泡発生用給水路２１に接続され、洗剤及び空気の供給を受ける。泡生成部２２は、洗剤及び泡発生用給水路２１から供給される泡発生用の水に、空気を混入し微細化して微細気泡を含有させ、泡を生成するエゼクタである。
第１ホース２３は、上流端がタンク４の流出口部４２に接続され、タンク４に貯留されている洗剤を泡生成部２２へ供給するフレキシブルな管である。第１ホース２３は、以下に説明する泡ポンプ２４及び第２ホース２５を介して泡生成部２２に接続される。
泡ポンプ２４は、第１ホース２３の下流端に接続され、第１ホース２３に接続されたタンク４から洗剤を吸引するポンプである。
第２ホース２５は、泡ポンプ２４と泡生成部２２とを接続するフレキシブルな管であり、泡ポンプ２４により吸引された洗剤を泡生成部２２へ供給する。
空気供給管２６は、泡生成部２２に接続され、泡を発生させるための空気を泡生成部２２に供給する管である。
泡供給管２７は、便鉢１１ａに泡を吐出するように配置される。泡生成部２２で生成された泡は、洗浄タンク１２から排出される洗浄水とともに便器部１０の便鉢１１ａへ排出される。泡は、便鉢１１ａの下部の貯留部（図示せず）に流れ、水よりも軽い泡によって貯留部の水面を覆う。
【００２４】
図３は、タンク４及びタンク収容部５の斜視図である。図４は、タンク４及びタンク４を主要するタンク収容部５の断面図である。図５は、タンク４の側面図である。図３〜図５を参照して、タンク４及びタンク収容部５について詳細に説明する。
【００２５】
タンク収容部５は、ベースプレート３１に取り付けられ、便器部１０側に向かってタンク４を内部に収容可能に開口する方形筒状の部材である。タンク収容部５は、図３に示すように、平坦な支持面５５と、凹部５０と、受け皿部６と、を有する。
【００２６】
支持面５５は、タンク４を収容した状態で、タンク収容部５の開口の周縁に延びる平坦な板状部である。支持面５５は、ベースプレート３１と連続する。
【００２７】
凹部５０は、支持面５５の略中央部に配置される。凹部５０は、内部にタンク４を収容し、タンク４の外形に沿うとともに、タンク４の外形よりも一回り大きな形状を有する。凹部５０は、図４に示すように、上方から下方に向かって段階的に開口部が小さくなる第１凹部５１、第２凹部５２及び第３凹部５３を有する。
【００２８】
第１凹部５１は、概ね四角形の開口部を有し、タンク４に取り付けられる把手部４７を倒した状態でタンク４を収容可能な大きさに形成されている。
図３に示すように、支持面５５から第１凹部５１における開口部のすぐ下方の側面にかけて、後述するタンク４の把手部４７が嵌まる溝部５５０が形成される。溝部５５０については、後述する。
【００２９】
第２凹部５２は、第１凹部５１の下端から内側に屈曲して、第１凹部５１よりも一回り小さい凹部となって下方に延びる。第２凹部５２は、タンク４の周囲を覆う方形筒状の壁面部５２１と、壁面部５２１の下端側で開口を遮る方向に延びる底面部５２２と、を有する。
【００３０】
第３凹部５３は、第２凹部５２の底面部５２２の略中央部から下方に延びる円筒状の壁面部５３１と、壁面部５３１の下端側で開口を遮る方向に延びる底面部５３２と、を有する。第３凹部５３の底面部５３２の中央部には、貫通孔５３２ａが形成されており、タンク４が接続される第１ホース２３への流路へと繋がるようになっている。
【００３１】
受け皿部６は、タンク収容部５の第３凹部５３における底面部５３２に配置される。受け皿部６は、貫通孔６１と、ボス６２とを有する。
ボス６２は、取り付け凹部３２の中央部上方に突出するように形成される。
貫通孔６１は、ボス６２の周囲に形成され、ボス６２と貫通孔６１の外側にある受け皿部６の底面部とは、部分的に繋がっている。
【００３２】
タンク４は、タンク収容部５内に配置され、ベースプレート３１の後部上面カバー３０３を開けると、使用者により取り出し可能になっている。タンク４は、タンク本体４０と、補充口部４１と、流出口部４２と、開閉弁４３と、ストレーナキャップ４４と、把手部４７と、を有する。
【００３３】
タンク本体４０は、内部に洗剤を収容可能な容器であり、略直方体に構成されている。タンク本体４０は、下部収容部４０ａと、上部収容部４０ｂと、上面部４０１と、底面部４０２と、を有する。
【００３４】
下部収容部４０ａ及び上部収容部４０ｂは、いずれも外観が略直方体で一体に繋がっており、下部収容部４０ａの方が上部収容部４０ｂよりも幅方向及び高さ方向の寸法が大きい。下部収容部４０ａ及び上部収容部４０ｂの境目には段差が形成されている。図５に示すように、タンク本体４０の側面視では、上部収容部４０ｂは下部収容部４０ａの側面視における一方側に寄って配置されていて、他方側の段差には一方側よりも広い幅の棚面４０ｃが形成されている。他方側の段差には、後述する把手部４７が収容される。また、上部収容部４０ｂは、タンク収容部５の第１凹部５１内に、下部収容部４０ａは、第２凹部５２内に納まるようになっている。
【００３５】
上面部４０１は、便器装置１の外観ライン、すなわち後部上面カバー３０３に沿って形成される。
底面部４０２は、下り傾斜する傾斜面を有する。傾斜面は、下部収容部４０ａの側面の下端から、以下に説明する流出口部４２の上端に向かって緩やかに傾斜する。
【００３６】
補充口部４１は、上部収容部４０ｂの上面部４０１における略中央部に形成される開口部である。補充口部４１は、上方に突出する円筒形のリム４１１と、補充口部４１を覆う蓋部４１２を有する。
【００３７】
流出口部４２は、タンク本体４０の下部に設けられ、下部収容部４０ａの下面における略中央部に形成される開口部である。流出口部４２は、下方に突出する円筒形の突出部４２１を有し、突出部４２１の周囲には、ねじが形成されている。流出口部４２は、補充口部４１と対向して配置され、流出口部４２から洗剤が流出可能になっている。
【００３８】
ストレーナキャップ４４は、タンク４の流出口部４２に設けられ、タンク収容部５の第３凹部５３に配置される受け皿部６に接続される。
図６は、ストレーナキャップ４４の斜視図である。図６に示すように、ストレーナキャップ４４は、キャップ部４５と、ストレーナ４６とを有する。
【００３９】
キャップ部４５は、流出口部４２の突出部４２１に係合可能な略円筒形の蓋であり、周縁部４５１と、底部４５２と、接続管４５３と、を有する。
【００４０】
周縁部４５１は、外側壁と内側壁とで二重になっており、内側壁が突出部４２１のねじに螺合し、上下方向に延びるキャップ部４５の外壁を構成する。
【００４１】
底部４５２は、流出口部４２を塞ぐ方向に延びるフランジ状の平坦な面である。底部４５２の中心には、円形の貫通孔４５２ａが形成されている。
【００４２】
接続管４５３は、底部４５２から下方に突出する略円筒形の管状部であり、タンク４から第１ホース２３へ向かう洗剤の流路となる。接続管４５３には、図３に示すように、管を遮る方向に延びて接続管４５３の流路を狭める支持部４５３ａが形成されている。支持部４５３ａの中心には円形の貫通孔４５３ｂが形成されており、後述する開閉弁４３が挿通可能になっている。なお、支持部４５３ａの貫通孔４５３ｂは、底部４５２の貫通孔４５２ａよりも径が小さい。
【００４３】
底部４５２の貫通孔４５２ａと、接続管４５３における支持部４５３ａに形成された貫通孔４５３ｂと、接続管４５３の下端の円形の開口とは、それぞれ径が異なるが、上下方向に同心に並んでいる。
【００４４】
ストレーナ４６は、第１ホース２３へ流れる洗剤を濾過する。ストレーナ４６は、キャップ部４５の貫通孔４５２ａを覆うように配置される。ストレーナ４６は、タンク４の流出口部４２の内部に配置され、上端は、タンク本体４０の底面部４０２における下端側よりも上方に突出して配置されるとともに、下端は、底面部４０２における下端側よりも下方に突出して配置される。ストレーナ４６は、フィルタ４６１と、フィルタ４６１を支持する枠部４６２とを有する。
フィルタ４６１は、開閉弁４３のバネに干渉しないようにドーム状に上部に向かって延び、上部が丸く湾曲している。
枠部４６２は、ドーム状のフィルタ４６１に沿って配置される。枠部４６２は、幅の狭い平坦な板が、十字に交差して、キャップ部４５における底部４５２の内側の面４５２ｂの上に取り付けられている。
【００４５】
開閉弁４３は、流出口部４２の突出部４２１内に設けられ、ディスク部４３１と、バネ４３２と、シャフト４３３と、シールパッキン４３４と、を有する。
ディスク部４３１は、ストレーナキャップ４４の接続管４５３に配置される円形状の基部である。ディスク部４３１は、接続管４５３内の支持部４５３ａの下流側に位置している。
シャフト４３３は、ディスク部４３１の中心から上方向に延びる円柱状の軸部である。
バネ４３２は、シャフト４３３の周囲に取り付けられるコイルバネである。
シールパッキン４３４は、シャフト４３３の上部側に取り付けられる略円形の弾性部材であり、底部４５２の貫通孔４５２ａよりも径が大きい。
【００４６】
開閉弁４３は、タンク４が後述するタンク収容部５に収容されると、タンク収容部５の底面部５３２に配置されている受け皿部６から接続管４５３内のディスク部４３１を上方へ押すボス６２によって、上方に移動する。ディスク部４３１が上方にある間は、シールパッキン４３４も上方に位置する。したがって、シールパッキン４３４は、タンク４をタンク収容部５に収容し、流出口部４２が第１ホース２３に接続されると同時に開くようになっている。これにより、タンク４の流出口部４２が第１ホース２３と接続されると、開閉弁４３が開弁する。底部４５２の貫通孔４５２ａは開いており、支持部４５３ａの貫通孔４５３ｂにも隙間が開いているので、洗剤は接続管４５３内へ流入し、受け皿部６の中央部の貫通孔６１を介して第１ホース２３側へと流れる。
タンク４を持ち上げて機能部３０から取り出すと、流出口部４２の突出部４２１がディスク部４３１を上に押し上げていたボス６２から離れるので、シールパッキン４３４が下がり、底部４５２の貫通孔４５２ａを塞ぐ。このように、開閉弁４３は、流出口部４２が第１ホースから取り外されると閉弁するので、洗剤は零れ落ちない。
【００４７】
把手部４７は、タンク本体４０の上部収容部４０ｂに取り付けられる。図３に示すように、把手部４７は、一対の軸部４７１と、一対の延出部４７２と、持ち手部４７３とを有する。
【００４８】
一対の軸部４７１は、タンク本体４０の上部収容部４０ｂから幅方向外側（タンク収容部５における支持面５５の開口の周縁側）に向かって突出する略円柱状の部分である。それぞれの軸部４７１の基端は、上部収容部４０ｂに接続され、先端は支持面５５に設けられた溝部５５０に回動可能に軸支される。図４に示すように、軸部４７１は、基端側から順に、互いに同心で配置される軸部本体部４７１ａと、大径部４７１ｂと、ロック突起４７１ｃと、を有する。
軸部本体部４７１ａは、上部収容部４０ｂに直接接続される円柱体である
大径部４７１ｂは、軸部本体部４７１ａの先端側に配置される軸部本体部４７１ａよりも径の大きな円盤状の部分である。
ロック突起４７１ｃは、軸部４７１の先端側に配置され、大径部４７１ｂから突出する略半円円弧状の突起である。ロック突起４７１ｃは、軸部本体部４７１ａの回動に伴って、タンク収容部５の開口の周縁（開口近傍の側面）に係合する係合部となる。
【００４９】
一対の延出部４７２は、一対の軸部４７１を基端として、軸部４７１から離間する方向に延びる細長い板状の部分である。一対の延出部４７２は、タンク本体４０における上部収容部４０ｂの一対の対向する側面に沿って延出し、遠位端が上部収容部４０ｂの上端部及び前端部を越える程度の長さを有する。延出部４７２の基端側には、軸部４７１が挿通して軸部４７１に固定される穴が形成されており、延出部４７２は、軸部４７１の回動に伴って回動可能である。
【００５０】
持ち手部４７３は、一対の延出部４７２の先端側同士を接続する部分である。図３に示すように、持ち手部４７３は、上部収容部４０ｂの側面における一対の延出部４７２が沿う面に略直交する面に沿って延びる。持ち手部４７３は、軸部４７１の回動に伴って、タンク収容部５内に収容されるように倒される。図５に示すように、持ち手部４７３は、把手部４７をタンク収容部５内に収容した状態で、タンク本体４０の上部収容部４０ｂの側面と、上部収容部４０ｂ及び下部収容部４０ａ間の棚面４０ｃと、タンク収容部５の内壁で形成される空間に収納される。持ち手部４７３は、倒された状態で、図３〜５に示すように、タンク収容部５の支持面５５及びベースプレート３１の上面、並びに、タンク本体４０における上部収容部４０ｂの上面よりも下方に配置される。
【００５１】
把手部４７は、タンク本体４０の上部に取り付けられる。把手部４７は、図３に示すように、倒した状態で、延出部４７２と持ち手部４７３が上部収容部４０ｂの外周の半分に沿うように配置される。把手部４７は、使用時には、持ち手部４７３を起こして握って持ち上げる。
【００５２】
次に、ロック機構について説明する。ロック機構は、使用により洗剤が流出することで、タンク本体４０が軽くなって、受け皿部６から離間することを防止するため、タンク本体４０の上方への移動を規制する機構である。本実施形態では、ロック機構は、把手部４７を含む。
【００５３】
図７は、タンク４の把手部４７をタンク収容部５にロックするロック機構の一例を示す斜視図である。図８（ａ）〜（ｃ）は、ロックする手順を示す図である。図８（ａ）は、ロックされる前の状態を示し、図８（ｂ）は、ロック途中の状態を示し、図８（ｃ）は、ロックされた状態を示す。
ロック機構は、タンク本体４０がタンク収容部５内に収容された状態で、タンク本体４０をロックして上方に移動して開閉弁４３が開弁することを規制する。ロック機構は、係合部となる把手部４７のロック突起４７１ｃと、支持面５５に形成された溝部５５０により構成される。
【００５４】
図７に示すように、溝部５５０は、タンク収容部５の凹部５０の側面で、開口の近傍に形成される。詳細には、溝部５５０は、タンク収容部５の開口の縁から凹部５０の側面に沿って下方に延び、幅方向の一方側で屈曲する鉤状の切欠きを有する。溝部５５０は、第１溝部５５１と、第２溝部５５２とを有する。
【００５５】
第１溝部５５１は、把手部４７の軸部４７１の大径部４７１ｂを支持する半円状の窪みであり、大径部４７１ｂの外径より一回り大きな寸法を有し、大径部４７１ｂが回動可能な大きさで形成される。
【００５６】
第２溝部５５２は、第１溝部５５１よりも外側、すなわちタンク収容部５の凹部５０から遠ざかる側に形成される。図７に示すように、第２溝部５５２は、第１溝部５５１から連続して形成され、図８（ａ）に示すように、上方から下方に延びて、幅方向の一方側のみが突出する鉤状の切欠きに形成されている。詳細には、第２溝部５５２は、帯状部５５２ａと、四半円部５５２ｂとにより構成される。
【００５７】
帯状部５５２ａは、支持面５５から下方に延びるように形成される略長方形の切欠きである。
四半円部５５２ｂは、帯状部５５２ａの下端に形成される四半円形の切欠きである。四半円部５５２ｂは、帯状部５５２ａの長手方向の縁のうち一方側が、帯状部５５２ａから連続して直線状に延び、帯状部５５２ａの長手方向の縁のうち他方側が帯状部５５２ａの延びる方向に略直交する方向に屈曲して突出部５５２ｃを形成する。突出部５５２ｃの突出端から、帯状部５５２ａの一方側の縁の下端に向かって弧を描くことで、四半円部５５２ｂが形成される。
【００５８】
図８（ａ）に示すように、把手部４７を掴んで、延出部４７２の基端側に接続される軸部４７１のロック突起４７１ｃを、溝部５５０の第１溝部５５１内で下方へ移動させる。
【００５９】
図８（ｂ）に示すように、把手部４７は、ロック突起４７１ｃが第１溝部５５１の下端に到達したところで止まる。このとき、ロック突起４７１ｃが略四半円状の周縁を有することから、ロック突起４７１ｃが第２溝部５５２の四半円部５５２ｂに沿って滑り、回転する。把手部４７は、タンク本体４０から起こされた状態から、延出部４７２及び持ち手部４７３の自重により傾倒する。このとき、軸部４７１の大径部４７１ｂと溝部５５０の第１溝部５５１との関係は、持ち手部４７３がタンク本体４０の側面視で８０度程度傾斜して止まる程度、第１溝部５５１が大径部４７１ｂよりも大きいことが好ましいが、持ち手部４７３から使用者が手を放した際、持ち手部４７３が完全に横転してタンク本体４０の第１凹部５１に入る程度であってもよい。
【００６０】
その後、図３に示すように、使用者が把手部４７の持ち手部４７３を押してタンク４のタンク本体４０とタンク収容部５の第１凹部５１との間の隙間に持ち手部４７３を嵌め込むと、ロック突起４７１ｃは、四半円部５５２ｂのカーブに沿って移動する。
【００６１】
図８（ｃ）に示すように、ロック突起４７１ｃが溝部５５０の四半円部５５２ｂに係合すると、タンク４が上に浮き上がろうとしても、四半円部５５２ｂの突出部５５２ｃに当接してロックされるので、タンク４が上方に移動することが規制される。このようにして、延出部４７２及び持ち手部４７３が倒れることで、把手部４７にロックがかかり、把手部４７の基端側がタンク収容部５の開口の周縁（開口近傍の側面）に係合する。したがって、タンク４内の洗剤の容量が少なくなり、軽くなることで、タンク４が浮き上がりやすくなっても、把手部４７が溝部５５０に係合することで、タンク４の位置が固定されたままとなる。
【００６２】
なお、図８（ｂ）に示す状態で、使用者が持ち手部４７３をタンク収容部５の第１凹部５１との間の隙間に嵌め込む動作を行わなくても、後部上面カバー３０３をかけることで、後部上面カバー３０３が持ち手部４７３を押し下げることによってもロックがかかる。後部上面カバー３０３を便器本体１１に取り付けるために、便器本体１１側へ近づけると、傾斜した状態で立ち上がっている把手部４７の側面視における幅方向の一方の端部に、後部上面カバー３０３の下面が当接する。後部上面カバー３０３をさらに便器本体１１側へ近づけるにしたがって、後部上面カバー３０３により把手部４７が押し下げられ、自然に把手部４７の軸部４７１が回転して、ロック突起４７１ｃが四半円部５５２ｂの突出部５５２ｃに当接する。
【００６３】
本実施形態によれば、以下の効果が奏される。
本実施形態では、便器装置１を、便鉢１１ａに供給する薬剤を収容するタンク本体４０、及びタンク本体４０の下部に設けられ薬剤が流出する流出口部４２を有する薬剤タンク４と、流出口部４２に接続され、薬剤を供給する第１ホース２３と、第１ホース２３が流出口部４２に接続されると開弁し、流出口部４２が第１ホース２３から取り外されると閉弁する開閉弁４３と、を含んで構成した。
洗剤を流出する流出口部４２がタンク４の下部にあるので、ポンプ等でタンク４の上方へ吸い上げる必要がないので、洗剤を最後まで使い切ることができる。また、ポンプ等がないこと、タンク４の上部及び周囲はすっきりしており、タンク４の周囲に配置する部品のレイアウトの自由度が高くなる。
また、流出口部４２がタンク本体４０の上面部４０１側にないため、タンク本体４０の上面部４０１の凹凸を少なくし、略平坦形状にすることが可能になる。これにより、タンク本体４０の上面部４０１近傍の空間を有効に活用することができ、後部上面カバー３０３を上面部４０１に沿うように配置することも可能となる。
【００６４】
本実施形態では、薬剤から泡を生成する泡生成部２２をさらに含んで構成し、第１ホース２を、泡生成部２２に接続した。これにより、泡により便鉢１１ａを洗浄することができる。
【００６５】
本実施形態では、タンク４を、タンク本体４０の上面部４０１に設けられた補充口部４１を含んで構成した。
補充口部４１が上面部４０１にあり、流出口部４２が、タンク本体４０の下部に設けられているので、補充口部４１と流出口部４２が上下に対向する。このため、位置にタンク４内の余分な空気を逃がしやすく、また、補充口部４１を開けたときに内部の様子がわかりやすい。
【００６６】
本実施形態では、タンク本体４０を、その底面部４０２が流出口部４２側に向かって下り傾斜する傾斜面を含んで構成した。流出口部４２がタンク本体４０の下部に設けられており、底面部４０２が流出口部に向かって下り傾斜しているので、ポンプ等を用いずとも自然に洗剤を流出させることができる。このため、ポンプのような別部品を設ける必要がなくなるので、タンク４の周囲がすっきりとし、レイアウトの自由度が高まる。
【００６７】
本実施形態では、タンク４に、第１ホース２３へ流れる薬剤を濾過するストレーナ４６を流出口部４２に設けた。
タンク４がストレーナ４６を有することで、洗剤に混入する埃等に加えて、洗剤が塊状になった洗剤ダマを濾しとることができる。このため、泡生成部２２に到達するまでの各種の貫通孔や流路を構成する管内で目詰まりが発生することを防止できる。
【００６８】
本実施形態では、タンク４を収容するタンク収容部５をさらに含んで構成した。また、タンク４を、タンク本体４０がタンク収容部５内に収容された状態で、タンク本体４０が上方に移動して開閉弁４３が閉弁するのを規制するロック機構を含んで構成した。
ロック機構によりタンク４が固定されることで、タンク４内の洗剤の量が少なくなった場合に、タンク４が浮いて洗剤が供給されにくくなることを防止できる。
【００６９】
本実施形態では、便器装置１の機能部３０を、便鉢１１ａに供給する薬剤を収容するタンク本体４０、及びタンク本体４０の下部に設けられ薬剤が流出する流出口部４２を有するタンク４と、タンク４が配置されるベースプレート３１と、流出口部４２が便鉢１１ａへ薬剤を供給する第１ホース２３に接続されると開弁し、流出口部４２が第１ホース２３から取り外されると閉弁する開閉弁４３と、を含んで構成した。
流出口部４２がタンク本体４０の下部に設けられたタンク４を機能部３０が有しているので、タンク４の設置を機能部３０で行うことができ、施工が容易になる。
【００７０】
以上、本発明の好ましい実施形態について説明したが、本発明は、上述の実施形態に制限されるものではなく、適宜変更が可能である。
図９は、他の実施形態に係るタンク４Ａの模式図である。他の実施形態では、タンク４Ａは、補充口部がタンク４Ａの上面部４０１に配置されておらず、タンク４Ａに設けられる開口部は一つになっている。開口部が一つでも、洗剤が残り少なくなった場合、後部上面カバー３０３を開けてタンク４Ａをタンク収容部５から取り出せば、洗剤を流出口部４２Ａから補給することが可能である。なお、上面側に開く空気穴を設けてもよい。
【００７１】
タンク４Ａにおけるタンク本体４０の上面部４０１は平面であり、洗剤の補給口部が上面部４０１以外に配置されている。上面部４０１は、便器装置１の外観ライン、すなわち後部上面カバー３０３に沿って形成される。
【００７２】
また、流出口部４２Ａはタンク本体４０の下部の一方の側面に形成されている。また、他の実施形態では、タンク本体４０の底面部４０２は、流出口部４２Ａが形成される一方の側面に対向する他方の側面の下端部から、流出口部４２Ａに向かって下りする傾斜面を含んで構成されている。
【００７３】
他の実施形態によっても、タンク４Ａの下部に流出口部４２Ａが配置され、流出口部に向かって底面部４０２が下り傾斜しているので、洗剤を最後まで使い切ることができる。
また、タンク４Ａの上面部４０１には、補充口部が形成されておらず、平坦なので、使用方法や使用上の注意等を記載したシール等の表示部を設けることができ、レイアウトの自由度がさらに高まる。
【００７４】
また、上述の実施形態及び他の実施形態では、いずれもタンク４、４Ａの上面部４０１は平面により構成されているが、上面部は平面に限られない。上面部４０１は、便器装置１の外観ラインに沿って形成すればよく、例えば、便器装置の上面が緩やかな凸曲面であった場合に、タンクの上面部が便器装置の上面の形状に沿って緩やかな凸曲面に構成してもよい。タンクの上面部と便器装置の上面部の形状を対応させることで、タンクの容積を増やしたり、後部上面カバーを取り付ける際に、タンクの上面に合わせることで、取り付け位置の目安とすることができる。
【００７５】
図１０は、さらに他の実施形態にかかるストレーナキャップ４４Ｂの平面図である。
上述の実施形態では、ストレーナキャップ４４は、キャップ部４５と、ストレーナ４６を有し、ストレーナ４６がフィルタ４６１と、フィルタ４６１を支持する枠部４６２とを有するように構成されているが、ストレーナキャップ４４の構成はこれに限られない。他の実施形態に係るストレーナ４６Ｂとして、キャップの中央部に形成される洗剤が流通する貫通孔の周囲に、メッシュが設けられたものを例示できる。メッシュによっても洗剤ダマを良好に濾しとることができる。
【００７６】
また、上述の実施形態では、タンク収容部５の支持面５５がベースプレート３１に連続しているが、支持面５５及びベースプレート３１は、一体の同じ部材として構成してもよい。また、支持面５５とベースプレート３１とを、取り外し可能なものとしてもよい。
あるいは、周囲に配置する部材との関係によって、支持面５５は、ベースプレート３１と連続しない面に配置されていてもよい。
【符号の説明】
【００７７】
１      便器装置
４      タンク（薬剤タンク）
５      タンク収容部
１１ａ  便鉢
２０    洗剤供給装置（薬剤供給装置）
２２    泡生成部
２３    第１ホース（薬剤供給路）
３１    ベースプレート
４０    タンク本体
４１    補充口部
４２    流出口部
４３    開閉弁
４６    ストレーナ
３０３  後部上面カバー（タンクカバー）
４０１  上面部
４０２  底面部
【図１】
2020002652.tif 000003
【図２】
2020002652.tif 000004
【図３】
2020002652.tif 000005
【図４】
2020002652.tif 000006
【図５】
2020002652.tif 000007
【図６】
2020002652.tif 000008
【図７】
2020002652.tif 000009
【図８】
2020002652.tif 000010
【図９】
2020002652.tif 000011
【図１０】
2020002652.tif 000012